(57)【要約】【課題】メッシュ気象情報の精度を向上し、かつ、メッシュ気象情報の未配信と欠落を補完すること。【解決手段】気象庁メッシュ気象データが配信された場合、直上メッシュ計算部１２０は、各観測点の直上メッシュのメッシュ補正係数を算出し、空間内挿部１３０は、得られた観測点直上メッシュのメッシュ補正係数を数学的空間内挿法により空間的に補間し、ハイブリッドメッシュ計算部１４０は、補間後のメッシュ補正係数を配信された気象庁メッシュ気象データに乗算または加減算してハイブリッドメッシュ気象情報を算出する。気象庁メッシュ気象データが配信されていない場合、直上メッシュ計算部１２０は、入力した気象観測所データをこれら観測点の直上メッシュにそのまま付与し（メッシュ観測データ）、空間内挿部１３０は、得られた観測点直上メッシュのメッシュ観測データを数学的空間内挿法により空間的に補間してハイブリッドメッシュ気象情報を算出する。【選択図】図１
0003131559.tif 000002
【実用新案登録請求の範囲】
【請求項１】
第１の情報源から提供されるメッシュ気象情報を入力する第１入力手段と、
前記第１の情報源と異なる第２の情報源から提供される気象観測データを入力する第２入力手段と、
前記第２入力手段によって入力された気象観測データと、前記第１入力手段によって入力されるメッシュ気象情報のうち前記第２入力手段によって入力された気象観測データの観測点を含むメッシュにおける気象情報との間の関係を示す関係値を算出する第１算出手段と、
前記第１算出手段によって算出された関係値を数学的空間内挿法により空間的に補間してメッシュ全体におけるメッシュ毎の関係値を算出する補間手段と、
前記補間手段によって算出されたメッシュ毎の関係値を用いて、前記第２の情報源から提供される気象観測データを反映したメッシュ気象情報を算出する第２算出手段と、
を有するメッシュ気象情報作成装置。
【請求項２】
第１の情報源から提供されるメッシュ気象情報を入力する第１入力手段と、
前記第１の情報源と異なる第２の情報源から提供される気象観測データを入力する第２入力手段と、
前記第２入力手段によって入力された気象観測データと、前記第１入力手段によって入力されるメッシュ気象情報のうち前記第２入力手段によって入力された気象観測データの観測点を含むメッシュにおける気象情報との関係を示す関係値を算出する第１算出手段と、
前記第１算出手段によって算出された関係値を数学的空間内挿法により空間的に補間してメッシュ全体におけるメッシュ毎の関係値を算出する補間手段と、
前記補間手段によって算出されたメッシュ毎の関係値を用いて、前記第２の情報源から提供される気象観測データを反映した別のメッシュ気象情報を算出する第２算出手段と、を有し、
前記第２算出手段は、
前記第１入力手段によってメッシュ気象情報が入力された場合は、前記補間手段によって算出されたメッシュ毎の関係値を用いて前記第１入力手段によって入力されたメッシュ気象情報を補正することにより、前記別のメッシュ気象情報を算出し、
前記第１入力手段によってメッシュ気象情報が入力されていない場合は、前記補間手段によって算出されたメッシュ毎の関係値を前記別のメッシュ気象情報として設定する、
メッシュ気象情報作成装置。
【請求項３】
第１の情報源から提供されるメッシュ気象情報を入力する第１入力手段と、
前記第１の情報源と異なる第２の情報源から提供される気象観測データを入力する第２入力手段と、
前記第２入力手段によって入力された気象観測データを用いて、前記第１入力手段によって入力されるメッシュ気象情報のうち前記第２入力手段によって入力された気象観測データの観測点を含むメッシュにおける気象情報を補正または補完するための関係値を算出する第１算出手段と、
前記第１算出手段によって算出された関係値を数学的空間内挿法により空間的に補間してメッシュ全体におけるメッシュ毎の関係値を算出する補間手段と、
前記補間手段によって算出されたメッシュ毎の関係値を用いて、前記第２の情報源から提供される気象観測データを反映した別のメッシュ気象情報を算出する第２算出手段と、を有し、
前記第１入力手段によってメッシュ気象情報が入力された場合、
前記第１算出手段は、
前記補正のための関係値を算出し、
前記第２算出手段は、
前記補間手段によって算出されたメッシュ毎の関係値を用いて前記第１入力手段によって入力されたメッシュ気象情報を補正することにより、前記別のメッシュ気象情報を算出し、
前記第１入力手段によってメッシュ気象情報が入力されていない場合、
前記第１算出手段は、
前記補完のための関係値を算出し、
前記第２算出手段は、
前記補間手段によって算出されたメッシュ毎の関係値を前記別のメッシュ気象情報として設定する、
メッシュ気象情報作成装置。
【請求項４】
第１の情報源から提供されるメッシュ気象情報を入力する第１入力手段と、
前記第１の情報源と異なる第２の情報源から提供される気象観測データを入力する第２入力手段と、
前記第２入力手段によって入力された気象観測データと、前記第１入力手段によって入力されたメッシュ気象情報のうち前記第２入力手段によって入力された気象観測データの観測点を含むメッシュにおける気象情報との比または差をメッシュ補正用データとして算出する第１算出手段と、
前記第１算出手段によって算出されたメッシュ補正用データを数学的空間内挿法により空間的に補間してメッシュ全体におけるメッシュ毎のメッシュ補正用データを算出する補間手段と、
前記補間手段によって算出されたメッシュ毎のメッシュ補正用データを用いて前記第１入力手段によって入力されたメッシュ気象情報を補正することにより、前記第２の情報源から提供される気象観測データを反映した別のメッシュ気象情報を算出する第２算出手段と、を有し、
前記第１入力手段によってメッシュ気象情報が入力されていない場合、
前記第１算出手段は、
前記第２入力手段によって入力された気象観測データをそのまま前記メッシュ補正用データとして設定し、
前記第２算出手段は、
前記補間手段によって算出されたメッシュ毎のメッシュ補正用データをそのまま前記別のメッシュ気象情報として設定する、
メッシュ気象情報作成装置。
【請求項５】
第１の情報源から提供されるメッシュ気象情報を入力する第１入力手段と、
前記第１の情報源と異なる第２の情報源から提供される気象観測データを入力する第２入力手段と、
前記第１入力手段によってメッシュ気象情報が入力されたか否かを判断する判断手段と、
前記第１入力手段によってメッシュ気象情報が入力された場合は、前記第２入力手段によって入力された気象観測データと、前記第１入力手段によって入力されたメッシュ気象情報のうち前記第２入力手段によって入力された気象観測データの観測点を含むメッシュにおける気象情報との比または差をメッシュ補正用データとして算出し、前記第１入力手段によってメッシュ気象情報が入力されていない場合は、前記第２入力手段によって入力された気象観測データをそのまま前記メッシュ補正用データとして設定する第１算出手段と、
前記第１算出手段によって算出されたメッシュ補正用データを数学的空間内挿法により空間的に補間してメッシュ全体におけるメッシュ毎のメッシュ補正用データを算出する補間手段と、
前記第１入力手段によってメッシュ気象情報が入力された場合は、前記補間手段によって算出されたメッシュ毎のメッシュ補正用データを用いて前記第１入力手段によって入力されたメッシュ気象情報を補正することにより、前記第２の情報源から提供される気象観測データを反映した別のメッシュ気象情報を算出し、前記第１入力手段によってメッシュ気象情報が入力されていない場合は、前記補間手段によって算出されたメッシュ毎のメッシュ補正用データをそのまま前記別のメッシュ気象情報として設定する第２算出手段と、
を有するメッシュ気象情報作成装置。
【請求項６】
前記第２入力手段は、
前記第２の情報源から提供される気象観測データに加えて前記第１の情報源から提供される気象観測データを入力する、
請求項１から請求項５のいずれかに記載のメッシュ気象情報作成装置。
【請求項７】
前記第１の情報源は、気象庁であり、前記第２の情報源は、気象庁以外の事業者である、請求項１から請求項６のいずれかに記載のメッシュ気象情報作成装置。
【請求項８】
前記数学的空間内挿法は、スプライン補間法である、請求項１から請求項７のいずれかに記載のメッシュ気象情報作成装置。
【考案の詳細な説明】
【技術分野】
【０００１】
本考案は、メッシュ気象情報作成装置に関する。
【背景技術】
【０００２】
メッシュ気象情報は、気象に関する各種データ（例えば、降水量、気温、風向・風速、湿度、日照時間など）を一定のメッシュ単位で表した気象情報である。
【０００３】
現在、気象庁から定時に配信されるメッシュ気象情報は、メッシュ気象情報の精度を上げるため、気象庁所管の観測所（気象官署またはアメダス）からの観測データにより補正されて作成されている（例えば、非特許文献１参照）。
【０００４】
一方、気象庁以外の他事業者（例えば、開発局や地方建設局、都道府県や市町村、その他団体など）による気象観測も行われている。しかし、他事業者による気象観測の結果は、気象庁所管でないこと、観測データの品質が統一されてないことから、あくまで単なる観測データとしての位置付けにとどまっている。
【非特許文献１】財団法人河川情報センター、「実務技術者のためのレーダ雨量計講座（平成１８年１月更新）」、［online］、［平成１９年１月２９日検索］、インターネット＜ＵＲＬ：http://river.or.jp/reda/index.html＞
【考案の開示】
【考案が解決しようとする課題】
【０００５】
しかしながら、現在気象庁から定時に配信されるメッシュ気象情報には、次のような課題が考えられる。
【０００６】
第１の課題は、メッシュ気象情報それ自体の精度である。気象庁所管の観測所は、気象官署については大体１００ｋｍ間隔で配置され、アメダスについては降水量で大体１７ｋｍ間隔、４要素（降水量、気温、風向・風速、日照時間）で大体２０ｋｍ間隔でそれぞれ配置されている。しかし、山間部などでは、電気通信上の制約から、多くの場合、これらの間隔では設置されていない。したがって、特に観測データが少ない区域については、メッシュ気象情報の精度に一定の限界が生じることになる。
【０００７】
第２の課題は、メッシュ気象情報が配信されない場合や、配信されたメッシュ気象情報に欠落が見られる場合である。気象庁からのメッシュ気象情報は、一定の時間間隔で定時に配信される。しかし、システム上の何らかの障害により、気象庁からのメッシュ気象情報が配信されない場合がある。また、特にレーダーアメダス合成雨量情報では、レーダーサイトから見て山陰となる部分のレーダーエコーを捕えることができず、不可視領域が生じる部分がある。このレーダーアメダス合成雨量情報は、雨量レーダーのエコー強度を気象庁所管のアメダスデータにより補正して雨量強度（１時間あたりの雨量、単位：ｍｍ／時間）でメッシュ気象情報として配信される雨量情報である。したがって、何らかの障害により、気象庁からメッシュ気象情報が配信されない、または、配信されたメッシュ気象情報に欠落が見られる場合であっても、それを補完することができる装置の開発が求められる。
【０００８】
本考案は、かかる点に鑑みてなされたものであり、メッシュ気象情報の精度を向上するとともに、メッシュ気象情報の未配信および欠落を補完することができるメッシュ気象情報作成装置を提供することを目的とする。
【課題を解決するための手段】
【０００９】
本考案のメッシュ気象情報作成装置は、第１の情報源から提供されるメッシュ気象情報を入力する第１入力手段と、前記第１の情報源と異なる第２の情報源から提供される気象観測データを入力する第２入力手段と、前記第２入力手段によって入力された気象観測データと、前記第１入力手段によって入力されるメッシュ気象情報のうち前記第２入力手段によって入力された気象観測データの観測点を含むメッシュにおける気象情報との間の関係を示す関係値を算出する第１算出手段と、前記第１算出手段によって算出された関係値を数学的空間内挿法により空間的に補間してメッシュ全体におけるメッシュ毎の関係値を算出する補間手段と、前記補間手段によって算出されたメッシュ毎の関係値を用いて、前記第２の情報源から提供される気象観測データを反映したメッシュ気象情報を算出する第２算出手段と、を有する構成を採る。
【００１０】
本考案のメッシュ気象情報作成装置は、第１の情報源から提供されるメッシュ気象情報を入力する第１入力手段と、前記第１の情報源と異なる第２の情報源から提供される気象観測データを入力する第２入力手段と、前記第２入力手段によって入力された気象観測データと、前記第１入力手段によって入力されるメッシュ気象情報のうち前記第２入力手段によって入力された気象観測データの観測点を含むメッシュにおける気象情報との関係を示す関係値を算出する第１算出手段と、前記第１算出手段によって算出された関係値を数学的空間内挿法により空間的に補間してメッシュ全体におけるメッシュ毎の関係値を算出する補間手段と、前記補間手段によって算出されたメッシュ毎の関係値を用いて、前記第２の情報源から提供される気象観測データを反映した別のメッシュ気象情報を算出する第２算出手段と、を有し、前記第２算出手段は、前記第１入力手段によってメッシュ気象情報が入力された場合は、前記補間手段によって算出されたメッシュ毎の関係値を用いて前記第１入力手段によって入力されたメッシュ気象情報を補正することにより、前記別のメッシュ気象情報を算出し、前記第１入力手段によってメッシュ気象情報が入力されていない場合は、前記補間手段によって算出されたメッシュ毎の関係値を前記別のメッシュ気象情報として設定する、構成を採る。
【００１１】
本考案のメッシュ気象情報作成装置は、第１の情報源から提供されるメッシュ気象情報を入力する第１入力手段と、前記第１の情報源と異なる第２の情報源から提供される気象観測データを入力する第２入力手段と、前記第２入力手段によって入力された気象観測データを用いて、前記第１入力手段によって入力されるメッシュ気象情報のうち前記第２入力手段によって入力された気象観測データの観測点を含むメッシュにおける気象情報を補正または補完するための関係値を算出する第１算出手段と、前記第１算出手段によって算出された関係値を数学的空間内挿法により空間的に補間してメッシュ全体におけるメッシュ毎の関係値を算出する補間手段と、前記補間手段によって算出されたメッシュ毎の関係値を用いて、前記第２の情報源から提供される気象観測データを反映した別のメッシュ気象情報を算出する第２算出手段と、を有し、前記第１入力手段によってメッシュ気象情報が入力された場合、前記第１算出手段は、前記補正のための関係値を算出し、前記第２算出手段は、前記補間手段によって算出されたメッシュ毎の関係値を用いて前記第１入力手段によって入力されたメッシュ気象情報を補正することにより、前記別のメッシュ気象情報を算出し、前記第１入力手段によってメッシュ気象情報が入力されていない場合、前記第１算出手段は、前記補完のための関係値を算出し、前記第２算出手段は、前記補間手段によって算出されたメッシュ毎の関係値を前記別のメッシュ気象情報として設定する、構成を採る。
【００１２】
本考案のメッシュ気象情報作成装置は、第１の情報源から提供されるメッシュ気象情報を入力する第１入力手段と、前記第１の情報源と異なる第２の情報源から提供される気象観測データを入力する第２入力手段と、前記第２入力手段によって入力された気象観測データと、前記第１入力手段によって入力されたメッシュ気象情報のうち前記第２入力手段によって入力された気象観測データの観測点を含むメッシュにおける気象情報との比または差をメッシュ補正用データとして算出する第１算出手段と、前記第１算出手段によって算出されたメッシュ補正用データを数学的空間内挿法により空間的に補間してメッシュ全体におけるメッシュ毎のメッシュ補正用データを算出する補間手段と、前記補間手段によって算出されたメッシュ毎のメッシュ補正用データを用いて前記第１入力手段によって入力されたメッシュ気象情報を補正することにより、前記第２の情報源から提供される気象観測データを反映した別のメッシュ気象情報を算出する第２算出手段と、を有し、前記第１入力手段によってメッシュ気象情報が入力されていない場合、前記第１算出手段は、前記第２入力手段によって入力された気象観測データをそのまま前記メッシュ補正用データとして設定し、前記第２算出手段は、前記補間手段によって算出されたメッシュ毎のメッシュ補正用データをそのまま前記別のメッシュ気象情報として設定する、構成を採る。
【００１３】
本考案のメッシュ気象情報作成装置は、第１の情報源から提供されるメッシュ気象情報を入力する第１入力手段と、前記第１の情報源と異なる第２の情報源から提供される気象観測データを入力する第２入力手段と、前記第１入力手段によってメッシュ気象情報が入力されたか否かを判断する判断手段と、前記第１入力手段によってメッシュ気象情報が入力された場合は、前記第２入力手段によって入力された気象観測データと、前記第１入力手段によって入力されたメッシュ気象情報のうち前記第２入力手段によって入力された気象観測データの観測点を含むメッシュにおける気象情報との比または差をメッシュ補正用データとして算出し、前記第１入力手段によってメッシュ気象情報が入力されていない場合は、前記第２入力手段によって入力された気象観測データをそのまま前記メッシュ補正用データとして設定する第１算出手段と、前記第１算出手段によって算出されたメッシュ補正用データを数学的空間内挿法により空間的に補間してメッシュ全体におけるメッシュ毎のメッシュ補正用データを算出する補間手段と、前記第１入力手段によってメッシュ気象情報が入力された場合は、前記補間手段によって算出されたメッシュ毎のメッシュ補正用データを用いて前記第１入力手段によって入力されたメッシュ気象情報を補正することにより、前記第２の情報源から提供される気象観測データを反映した別のメッシュ気象情報を算出し、前記第１入力手段によってメッシュ気象情報が入力されていない場合は、前記補間手段によって算出されたメッシュ毎のメッシュ補正用データをそのまま前記別のメッシュ気象情報として設定する第２算出手段と、を有する構成を採る。
【考案の効果】
【００１４】
本考案によれば、メッシュ気象情報の精度を向上するとともに、メッシュ気象情報が配信されない場合を補完することができる。
【考案を実施するための最良の形態】
【００１５】
以下、本考案の実施の形態について、図面を参照して詳細に説明する。
【００１６】
図１は、本考案の一実施の形態に係るメッシュ気象情報作成装置の構成を示すブロック図である。
【００１７】
図１に示すメッシュ気象情報作成装置（以下「ハイブリッドメッシュ気象情報作成装置」という）１００は、コンピュータで構成されており、大別して、入力部１１０、直上メッシュ計算部１２０、空間内挿部１３０、ハイブリッドメッシュ計算部１４０、データ格納部１５０、および出力部１６０を有する。
【００１８】
入力部１１０は、例えば、外部から提供（配信）される気象庁メッシュ気象データ、気象庁観測所データ、および気象庁所管以外の観測所データ（以下「他の観測所データ」という）を入力処理して、計算に必要なデータを各計算部１２０、１４０にそれぞれ出力する。具体的には、入力部１１０は、気象庁メッシュ気象データを入力した場合は、入力したすべてのデータ（気象庁メッシュ気象データ、気象庁観測所データ、および他の観測所データ）を直上メッシュ計算部１２０に出力し、さらに気象庁メッシュ気象データについてはハイブリッドメッシュ計算部１４０にも出力する。また、入力部１１０は、気象庁メッシュ気象データを入力していない場合は、入力したデータ（気象庁観測所データおよび／または他の観測所データ）を直上メッシュ計算部１２０にのみ出力する。
【００１９】
ここで、「気象庁メッシュ気象データ」は、気象庁から定時に配信されるメッシュ気象情報であり、例えば、メッシュ単位の降水量、気温、風向・風速、湿度、日照時間などである。メッシュ単位は、一例として、約１ｋｍ四方である。なお、約１ｋｍ四方のメッシュは、１ｋｍメッシュと呼ばれる。
【００２０】
また、「気象庁観測所データ」は、気象庁所管の気象観測所（気象官署またはアメダス）における観測データであり、「他の観測所データ」は、気象庁所管以外の気象観測所における観測データである。他の観測所データは、例えば、開発局や地方建設局、都道府県や市町村、その他団体などによる気象観測によって得られる。本明細書では、気象庁観測所データおよび他の観測所データをまとめて「気象観測所データ」と呼ぶことにする。気象観測所データは、いわば地上の気象観測データ（実測データ）である。気象観測所データの項目は、メッシュ気象情報の項目と同じであり、例えば、降水量、気温、風向・風速、湿度、日照時間などである。
【００２１】
なお、本実施の形態では、メッシュ気象情報として気象庁メッシュ気象データを利用しているが、もちろん、本考案はこれに限定されない。すなわち、気象庁以外から提供（配信）されるメッシュ気象情報を利用することも可能である。
【００２２】
直上メッシュ計算部１２０は、観測点（気象観測所）の直上のメッシュにおいて所定の計算を行う。具体的には、直上メッシュ計算部１２０は、メッシュ気象情報（気象庁メッシュ気象データ）が配信されている場合は、ある観測点における観測データ（気象観測所データ）と、当該観測点を含むメッシュ（つまり、当該観測点の直上のメッシュ）におけるメッシュ気象情報との比または差（以下「メッシュ補正係数」という）をメッシュ補正用データとして算出する。すなわち、メッシュ補正係数の算出方法には、観測点の観測データと当該観測点の直上メッシュのメッシュ気象情報との「比」をとる場合と「差」をとる場合の２つの方法がある。ここでは、便宜上、前者を「比のメッシュ補正係数」、後者を「差のメッシュ補正係数」と呼ぶことにする。比のメッシュ補正係数は、例えば、
比のメッシュ補正係数
＝観測点の観測データ／観測点直上メッシュのメッシュ気象情報
で定義される。差のメッシュ補正係数は、例えば、
差のメッシュ補正係数
＝観測点の観測データ−観測点直上メッシュのメッシュ気象情報
で定義される。また、直上メッシュ計算部１２０は、メッシュ気象情報が配信されていない場合は、ある観測点における観測データを、当該観測点の直上のメッシュにそのまま付与する。ここでは、観測点の直上のメッシュに付与される観測データを、「メッシュ観測データ」と呼ぶことにする。このように、直上メッシュ計算部１２０は、各観測点の直上メッシュに対して、メッシュ補正係数の算出またはメッシュ観測データの付与を行う。メッシュ補正係数およびメッシュ観測データは、それぞれ、ある観測点の観測データと当該観測点の直上のメッシュにおけるメッシュ気象情報との間の関係を示す関係値の一例である。
【００２３】
なお、メッシュ気象情報が配信されていない場合、観測点の直上のメッシュにおけるメッシュ気象情報を「１」（比の場合）または「０」（差の場合）と仮定すれば、メッシュ観測データは、上記メッシュ補正係数として捉えることもできる。
【００２４】
空間内挿部１３０は、直上メッシュ計算部１２０の計算結果、つまり、各観測点の直上メッシュにおける関係値（メッシュ補正係数、メッシュ観測データ）を、数学的な空間内挿法によって空間的に補間する。これにより、メッシュ毎に関係値が展開される。具体的には、観測点直上メッシュにおける関係値がメッシュ補正係数の場合は、数学的空間内挿法による空間補間によって、メッシュ毎のメッシュ補正係数が算出される。また、観測点直上メッシュにおける関係値がメッシュ観測データの場合は、数学的空間内挿法による空間補間によって、ただちに新たなメッシュ気象情報（ハイブリッドメッシュ気象情報）が算出される。数学的空間内挿法としては、例えば、ランダムな点を対象にしたスプライン補間法などを用いることができる。一例として、スプライン補間法は、次の式（１）で与えられる。この式（１）は、スプライン補間法において、離散データから連続メッシュ面を計算する式である。
【００２５】
【数１】
0003131559.tif 000003
【００２６】
また、上記式（１）の境界条件は、次の式（２）で与えられる。
【００２７】
【数２】
0003131559.tif 000004
【００２８】
ここで、ｚは目的変数（メッシュ毎のメッシュ補正係数またはハイブリッドメッシュ気象情報）、ｘおよびｙはメッシュ座標、ｔは補間調整係数、δはメッシュのフラグ（観測点が位置するメッシュでは１、それ以外では０）、ｚ０は観測点における関係値（メッシュ補正係数またはメッシュ観測データ）、ｎは法線方向座標である。
【００２９】
上記の式（１）および式（２）によって、各観測点における関係値（メッシュ補正係数またはメッシュ観測データ）が面展開され、それぞれメッシュ補正係数面またはハイブリッドメッシュ気象情報面が作成される。特にメッシュ補正係数の場合において、比のメッシュ補正係数の場合は、比のメッシュ補正係数を上記の式（１）および式（２）で面展開すると、オリジナルのメッシュ（配信された気象庁メッシュ気象データ）に対して「乗算」で補正するための補正用メッシュとなり、差のメッシュ補正係数の場合は、差のメッシュ補正係数を上記の式（１）および式（２）で面展開すると、オリジナルのメッシュ（配信された気象庁メッシュ気象データ）に対して「加減算」で補正するための補正用メッシュとなる。
【００３０】
なお、本実施の形態では、空間を補間する方法として数学的空間内挿法を用いているが、数学的空間内挿法は、狭義の内挿法（スプライン補間を含む）のみならず、例えば、変分法などを含む広義の内挿法であってもよい。
【００３１】
ハイブリッドメッシュ計算部１４０は、空間内挿部１３０の処理結果を用いて、新たなメッシュ気象情報（ハイブリッドメッシュ気象情報）を算出する。具体的には、空間内挿部１３０の処理結果がメッシュ毎のメッシュ補正係数の場合には、ハイブリッドメッシュ計算部１４０は、メッシュ毎のメッシュ補正係数を用いて、配信されたメッシュ気象情報（気象庁メッシュ気象データ）を補正する。
【００３２】
具体的な補正方法としては、例えば、比のメッシュ補正係数の場合は、各メッシュに対して、配信されたメッシュ気象情報に、展開（補間）後のメッシュ補正係数を乗算する。これにより、気象観測データ（特に他の観測所データ）を反映した新たなメッシュ気象情報（ハイブリッドメッシュ気象情報）が得られる。すなわち、この場合、ハイブリッドメッシュ気象情報は、
ハイブリッドメッシュ気象情報
＝配信されたメッシュ気象情報×補間後のメッシュ補正係数
で計算される。一方、差のメッシュ補正係数の場合は、各メッシュに対して、配信されたメッシュ気象情報に、展開（補間）後のメッシュ補正係数を加減算する。これにより、気象観測データ（特に他の観測所データ）を反映した新たなメッシュ気象情報（ハイブリッドメッシュ気象情報）が得られる。すなわち、この場合、ハイブリッドメッシュ気象情報は、
ハイブリッドメッシュ気象情報
＝配信されたメッシュ気象情報＋補間後のメッシュ補正係数
で計算される。また、空間内挿部１３０の処理結果がすでにハイブリッドメッシュ気象情報の場合には、ハイブリッドメッシュ計算部１４０は、特に処理を行うことなく、ハイブリッドメッシュ気象情報をそのまま出力する。すなわち、この場合、ハイブリッドメッシュ気象情報は、
ハイブリッドメッシュ気象情報
＝補間後のメッシュ観測データ
で与えられる。
【００３３】
データ格納部１５０は、ハイブリッドメッシュ計算部１４０の計算結果（ハイブリッドメッシュ気象情報）を格納（蓄積）する。データ格納部１５０は、例えば、半導体メモリやハードディスク、リムーバブルメディアなど、任意の記憶装置で構成されている。
【００３４】
出力部１６０は、データ格納部１５０に格納されたデータを所定の形態で外部に出力する。出力部１６０は、例えば、ディスプレイやプリンタ、通信手段などで構成されている。
【００３５】
次いで、上記構成を有するハイブリッドメッシュ気象情報作成装置１００の動作について、図２〜図６を用いて説明する。図２は、ハイブリッドメッシュ気象情報作成装置１００の主要な動作を示すメインフローチャートである。図３は、図２の第１データ処理（Ｓ３０００）の内容を示すフローチャートである。図４は、図２の第２データ処理（Ｓ４０００）の内容を示すフローチャートである。図５は、図３の説明に供するための図である。図６は、図４の説明に供するための図である。なお、図２〜図５に示すフローチャートは、コンピュータのＲＯＭなどに制御プログラムとして記憶されており、ＣＰＵによって実行される。
【００３６】
まず、ステップＳ１０００では、入力部１１０で、計算に必要なデータを入力する。具体的には、例えば、上記のように、気象庁メッシュ気象データ、気象庁観測所データ、および他の観測所データを入力する。なお、気象庁メッシュ気象データや気象庁観測所データは、場合によっては配信されないこともある。
【００３７】
そして、ステップＳ２０００では、ステップＳ１０００で入力したデータの中に、気象庁メッシュ気象データが存在するか否かを判断する。この判断の結果として、気象庁メッシュ気象データが存在する場合は（Ｓ２０００：ＹＥＳ）、ステップＳ３０００に進み、気象庁メッシュ気象データが存在しない場合は（Ｓ２０００：ＮＯ）、ステップＳ４０００に進む。
【００３８】
ステップＳ３０００では、第１データ処理を行う。この第１データ処理は、気象庁メッシュ気象データを入力した場合、つまり、気象庁メッシュ気象データが配信された場合の処理である。この第１データ処理は、図３のフローチャートに示す手順に従って行われる。なお、配信された気象庁メッシュ気象データに欠落が見られる場合は、この第１データ処理によって対応（補完）可能である。
【００３９】
まず、ステップＳ３１００では、直上メッシュ計算部１２０で、観測点直上メッシュのメッシュ補正係数を算出する。具体的には、ステップＳ１０００で入力した気象庁メッシュ気象データならびに気象観測所データ（気象庁観測所データおよび他の観測所データ）を用いて、気象観測所データ（気象庁観測所データおよび他の観測所データ）と、これら観測点の直上のメッシュにおける気象庁メッシュ気象データとの比または差（メッシュ補正係数）を算出する。
【００４０】
そして、ステップＳ３２００では、空間内挿部１３０で、メッシュ補正係数の数学的空間内挿処理（演算）を行ってメッシュ毎のメッシュ補正係数を算出する。具体的には、ステップＳ３１００で算出した観測点直上メッシュのメッシュ補正係数を、数学的空間内挿法によって空間的に補間する。空間内挿法としては、例えば、一例として、上記のように、ランダムな点を対象にしたスプライン補間法を用いることができる。スプライン補間法は、上記の式（１）および式（２）で与えられる。この場合、目的変数ｚは、メッシュ毎のメッシュ補正係数であり、ｚ０は、観測点におけるメッシュ補正係数である。
【００４１】
そして、ステップＳ３３００では、ハイブリッドメッシュ計算部１４０で、ハイブリッドメッシュ気象情報を算出する。具体的には、ステップＳ３２００で算出したメッシュ毎のメッシュ補正係数を用いて、ステップＳ１０００で入力した気象庁メッシュ気象データを補正する。例えば、各メッシュにおいて、ステップＳ１０００で入力した気象庁メッシュ気象データにステップＳ３２００で算出したメッシュ補正係数を乗算または加減算する。これにより、特に他の観測所データ（気象庁所管以外の観測所データ）を反映した新たなメッシュ気象情報（ハイブリッドメッシュ気象情報）が得られる。すなわち、この場合、
ハイブリッドメッシュ気象情報
＝気象庁メッシュ気象データ×補間後の比のメッシュ補正係数
または、
ハイブリッドメッシュ気象情報
＝気象庁メッシュ気象データ＋補間後の差のメッシュ補正係数
である。この後、動作は、図２のフローチャートにリターンして、ステップＳ５０００に進む。
【００４２】
一方、ステップＳ４０００では、第２データ処理を行う。この第２データ処理は、気象庁メッシュ気象データを入力していない場合、つまり、例えば、システムの配信上の障害などにより、気象庁メッシュ気象データが配信されていない場合の処理である。この第２データ処理は、図４のフローチャートに示す手順に従って行われる。なお、この場合には、気象庁メッシュ気象データのみならず気象庁観測所データも配信されていない場合がある。
【００４３】
まず、ステップＳ４１００では、直上メッシュ計算部１２０で、観測点直上メッシュに対して観測データを付与する。具体的には、ステップＳ１０００で入力した気象観測所データ（気象庁観測所データおよび／または他の観測所データ）を、これら観測点の直上のメッシュにそのまま付与する（メッシュ観測データ）。
【００４４】
そして、ステップＳ４２００では、空間内挿部１３０で、メッシュ観測データの数学的空間内挿処理（演算）を行ってただちにハイブリッドメッシュ気象情報を算出する。具体的には、ステップＳ４１００で算出した観測点直上メッシュのメッシュ観測データを、数学的空間内挿法によって空間的に補間する。空間内挿法としては、例えば、一例として、ステップＳ３０００の第１データ処理の場合と同様に、スプライン補間法を用いることができる。スプライン補間法は、上記の式（１）および式（２）で与えられる。この場合、目的変数ｚは、ハイブリッドメッシュ気象情報であり、ｚ０は、観測点におけるメッシュ観測データである。この後、動作は、図２のフローチャートにリターンして、ステップＳ５０００に進む。
【００４５】
ステップＳ５０００では、ステップＳ３０００またはステップＳ４０００で算出したハイブリッドメッシュ気象情報をデータ格納部１５０に格納（蓄積）する。なお、データ格納部１５０に格納されたハイブリッドメッシュ気象情報は、出力部１６０によって、所定の形態で、ディスプレイに表示され、プリンタで印刷され、または、通信手段によって外部に送信（配信）される。
【００４６】
要するに、気象庁メッシュ気象データが配信された場合（欠落ある場合を含む）は、直上メッシュ計算部１２０で、各観測点の直上メッシュのメッシュ補正係数を算出し、空間内挿部１３０で、得られた観測点直上メッシュのメッシュ補正係数を数学的空間内挿法により空間的に補間し、ハイブリッドメッシュ計算部１４０で、補間後のメッシュ補正係数を配信された気象庁メッシュ気象データに乗算または加減算してハイブリッドメッシュ気象情報を算出する（第１データ処理）。一方、気象庁メッシュ気象データが配信されていない場合は、直上メッシュ計算部１２０で、入力した気象観測所データをこれら観測点の直上メッシュにそのまま付与し（メッシュ観測データ）、空間内挿部１３０で、得られた観測点直上メッシュのメッシュ観測データを数学的空間内挿法により空間的に補間してハイブリッドメッシュ気象情報を算出する（第２データ処理）。
【００４７】
このように、本実施の形態によれば、ハイブリッドメッシュ気象情報の算出に際して、気象庁から定時に配信されるメッシュ気象情報に対して、気象庁所管の気象観測データのみならず、気象庁所管以外の気象観測データをも反映させるため、より実態に近いメッシュ気象情報の作成が可能になり、メッシュ気象情報の精度を向上することができる。
【００４８】
また、本実施の形態によれば、気象庁メッシュ気象データが配信されない場合や、配信された気象庁メッシュ気象データに欠落が見られる場合には、気象観測所データからメッシュ気象情報を作成するため、何らかの障害により、気象庁からのメッシュ気象情報（場合によってはさらに気象庁所管の観測所データ）が配信されない場合や、配信されたメッシュ気象情報に欠落が見られる場合であっても、これを補完することができる。したがって、例えば、震災や火山噴火などにより気象庁所管のデータ配信が不調な場合や、特にレーダーアメダス合成雨量情報において不可視領域が生じた場合においても、独自に収集した気象庁所管以外の気象データによりメッシュ気象情報を作成し提供することが可能になり、危機管理の面からも有効である。
【００４９】
本考案者は、上記の効果を実証するために、過去の気象事例をもとに、シミュレーションを行った。
【００５０】
図７は、本考案の有効事例の一例を示す図である。図７（Ａ）は、本実施の形態に係るハイブリッドメッシュ気象情報作成装置１００のシミュレーション結果を示す図、図７（Ｂ）は、気象庁のレーダーアメダス解析雨量を示す図である。この有効事例は、２００５年７月２７日２時の気象事例に基づいている。楕円で囲んだ支笏湖周辺を比較した場合、気象庁のレーダーアメダス解析雨量では強雨になっていないが（図７（Ｂ）参照）、本実施の形態におけるハイブリッドメッシュ気象情報では、強雨を把握できていることがわかる。すなわち、メッシュ気象情報の精度が向上している。
【００５１】
図８は、本考案の有効事例の他の例を示す図である。図８（Ａ）は、本実施の形態に係るハイブリッドメッシュ気象情報作成装置１００のシミュレーション結果を示す図、図８（Ｂ）は、気象庁のレーダーアメダス解析雨量を示す図である。この有効事例は、２００５年７月２６日２３時の気象事例に基づいている。この場合、気象庁の釧路レーダーが停止していたため、気象庁のレーダーアメダス解析雨量では、楕円で囲んだ道東地方の降雨状況を把握できていない（図８（Ｂ）参照）。しかし、本実施の形態におけるハイブリッドメッシュ気象情報では、道内約１０００ヶ所の観測データを用いたため、降雨状況を把握できていることがわかる。すなわち、気象庁所管のデータ配信が不調な場合においても、独自に収集した気象庁所管以外の気象データによりメッシュ気象情報を作成し提供できている。
【産業上の利用可能性】
【００５２】
本考案に係るメッシュ気象情報作成装置は、メッシュ気象情報の精度を向上するとともに、メッシュ気象情報の未配信および欠落を補完することができるメッシュ気象情報作成装置として有用である。
【図面の簡単な説明】
【００５３】
【図１】本考案の一実施の形態に係るメッシュ気象情報作成装置の構成を示すブロック図
【図２】図１のメッシュ気象情報作成装置の主要な動作を示すメインフローチャート
【図３】図２の第１データ処理（Ｓ３０００）の内容を示すフローチャート
【図４】図２の第２データ処理（Ｓ４０００）の内容を示すフローチャート
【図５】図３の説明に供するための図
【図６】図４の説明に供するための図
【図７】本考案の有効事例の一例を示す図
【図８】本考案の有効事例の他の例を示す図
【符号の説明】
【００５４】
１００  ハイブリッドメッシュ気象情報作成装置
１１０  入力部
１２０  直上メッシュ計算部
１３０  空間内挿部
１４０  ハイブリッドメッシュ計算部
１５０  データ格納部
１６０  出力部
【図１】
0003131559.tif 000005
【図２】
0003131559.tif 000006
【図３】
0003131559.tif 000007
【図４】
0003131559.tif 000008
【図５】
0003131559.tif 000009
【図６】
0003131559.tif 000010
【図７】
0003131559.tif 000011
【図８】
0003131559.tif 000012
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
第１の情報源から提供されるメッシュ気象情報を入力する第１入力手段と、
前記第１の情報源と異なる第２の情報源から提供される気象観測データを入力する第２入力手段と、
前記第２入力手段によって入力された気象観測データと、前記第１入力手段によって入力されるメッシュ気象情報のうち前記第２入力手段によって入力された気象観測データの観測点を含むメッシュにおける気象情報とに基づいて、前記第２の情報源から提供される気象観測データを反映したメッシュ気象情報を算出する制御手段と、
前記制御手段によって取得されたメッシュ気象情報を出力する出力手段と、
を有するメッシュ気象情報作成装置。
【請求項２】
前記制御手段は、
前記第２入力手段によって入力された気象観測データと、前記第１入力手段によって入力されるメッシュ気象情報のうち前記第２入力手段によって入力された気象観測データの観測点を含むメッシュにおける気象情報との間の関係を示す関係値を算出する第１算出手段と、
前記第１算出手段によって算出された関係値を数学的空間内挿法により空間的に補間してメッシュ全体におけるメッシュ毎の関係値を算出する補間手段と、
前記補間手段によって算出されたメッシュ毎の関係値を用いて、前記第２の情報源から提供される気象観測データを反映したメッシュ気象情報を算出する第２算出手段と、
を有する請求項１記載のメッシュ気象情報作成装置。
【請求項３】
前記制御手段は、
前記第２入力手段によって入力された気象観測データと、前記第１入力手段によって入力されるメッシュ気象情報のうち前記第２入力手段によって入力された気象観測データの観測点を含むメッシュにおける気象情報との関係を示す関係値を算出する第１算出手段と、
前記第１算出手段によって算出された関係値を数学的空間内挿法により空間的に補間してメッシュ全体におけるメッシュ毎の関係値を算出する補間手段と、
前記補間手段によって算出されたメッシュ毎の関係値を用いて、前記第２の情報源から提供される気象観測データを反映した別のメッシュ気象情報を算出する第２算出手段と、を有し、
前記第２算出手段は、
前記第１入力手段によってメッシュ気象情報が入力された場合は、前記補間手段によって算出されたメッシュ毎の関係値を用いて前記第１入力手段によって入力されたメッシュ気象情報を補正することにより、前記別のメッシュ気象情報を算出し、
前記第１入力手段によってメッシュ気象情報が入力されていない場合は、前記補間手段によって算出されたメッシュ毎の関係値を前記別のメッシュ気象情報として設定する、
請求項１記載のメッシュ気象情報作成装置。
【請求項４】
前記制御手段は、
前記第２入力手段によって入力された気象観測データを用いて、前記第１入力手段によって入力されるメッシュ気象情報のうち前記第２入力手段によって入力された気象観測データの観測点を含むメッシュにおける気象情報を補正または補完するための関係値を算出する第１算出手段と、
前記第１算出手段によって算出された関係値を数学的空間内挿法により空間的に補間してメッシュ全体におけるメッシュ毎の関係値を算出する補間手段と、
前記補間手段によって算出されたメッシュ毎の関係値を用いて、前記第２の情報源から提供される気象観測データを反映した別のメッシュ気象情報を算出する第２算出手段と、を有し、
前記第１入力手段によってメッシュ気象情報が入力された場合、
前記第１算出手段は、
前記補正のための関係値を算出し、
前記第２算出手段は、
前記補間手段によって算出されたメッシュ毎の関係値を用いて前記第１入力手段によって入力されたメッシュ気象情報を補正することにより、前記別のメッシュ気象情報を算出し、
前記第１入力手段によってメッシュ気象情報が入力されていない場合、
前記第１算出手段は、
前記補完のための関係値を算出し、
前記第２算出手段は、
前記補間手段によって算出されたメッシュ毎の関係値を前記別のメッシュ気象情報として設定する、
請求項１記載のメッシュ気象情報作成装置。
【請求項５】
前記制御手段は、
前記第２入力手段によって入力された気象観測データと、前記第１入力手段によって入力されたメッシュ気象情報のうち前記第２入力手段によって入力された気象観測データの観測点を含むメッシュにおける気象情報との比または差をメッシュ補正用データとして算出する第１算出手段と、
前記第１算出手段によって算出されたメッシュ補正用データを数学的空間内挿法により空間的に補間してメッシュ全体におけるメッシュ毎のメッシュ補正用データを算出する補間手段と、
前記補間手段によって算出されたメッシュ毎のメッシュ補正用データを用いて前記第１入力手段によって入力されたメッシュ気象情報を補正することにより、前記第２の情報源から提供される気象観測データを反映した別のメッシュ気象情報を算出する第２算出手段と、を有し、
前記第１入力手段によってメッシュ気象情報が入力されていない場合、
前記第１算出手段は、
前記第２入力手段によって入力された気象観測データをそのまま前記メッシュ補正用データとして設定し、
前記第２算出手段は、
前記補間手段によって算出されたメッシュ毎のメッシュ補正用データをそのまま前記別のメッシュ気象情報として設定する、
請求項１記載のメッシュ気象情報作成装置。
【請求項６】
前記制御手段は、
前記第１入力手段によってメッシュ気象情報が入力されたか否かを判断する判断手段と、
前記第１入力手段によってメッシュ気象情報が入力された場合は、前記第２入力手段によって入力された気象観測データと、前記第１入力手段によって入力されたメッシュ気象情報のうち前記第２入力手段によって入力された気象観測データの観測点を含むメッシュにおける気象情報との比または差をメッシュ補正用データとして算出し、前記第１入力手段によってメッシュ気象情報が入力されていない場合は、前記第２入力手段によって入力された気象観測データをそのまま前記メッシュ補正用データとして設定する第１算出手段と、
前記第１算出手段によって算出されたメッシュ補正用データを数学的空間内挿法により空間的に補間してメッシュ全体におけるメッシュ毎のメッシュ補正用データを算出する補間手段と、
前記第１入力手段によってメッシュ気象情報が入力された場合は、前記補間手段によって算出されたメッシュ毎のメッシュ補正用データを用いて前記第１入力手段によって入力されたメッシュ気象情報を補正することにより、前記第２の情報源から提供される気象観測データを反映した別のメッシュ気象情報を算出し、前記第１入力手段によってメッシュ気象情報が入力されていない場合は、前記補間手段によって算出されたメッシュ毎のメッシュ補正用データをそのまま前記別のメッシュ気象情報として設定する第２算出手段と、
を有する請求項１記載のメッシュ気象情報作成装置。
【請求項７】
前記第２入力手段は、
前記第２の情報源から提供される気象観測データに加えて前記第１の情報源から提供される気象観測データを入力する、
請求項１から請求項６のいずれかに記載のメッシュ気象情報作成装置。
【請求項８】
前記第１の情報源は、気象庁であり、前記第２の情報源は、気象庁以外の事業者である、請求項１から請求項７のいずれかに記載のメッシュ気象情報作成装置。
【請求項９】
前記数学的空間内挿法は、スプライン補間法である、請求項２から請求項８のいずれかに記載のメッシュ気象情報作成装置。